(57)【特許請求の範囲】
【請求項１】
公衆回線網と接続してデータ通信を行う親機と、前記親機と無線通信を行う無線通信手段を有し、前記親機を介してデータ通信を行う子機とからなるデータ通信装置であって、
前記子機は、前記親機を介して行ったデータ通信の通信状態を、前記親機を介してデータ通信を行っているときに前記無線通信手段によって予め前記親機に送信する制御手段を有し、
前記通信状態は、無線通信切断時の状態に復帰させるために必要な情報であり、親機との無線通信の切断時に子機の表示部に表示されていたデータ、親機との無線通信の切断時から所定期間分過去の間に表示部に表示した全てのデータ、親機との無線通信の切断時に表示部に表示されていたデータのＵＲＬ、親機との無線通信の切断時から所定期間分過去の間に表示部に表示した全てのデータのＵＲＬのいずれかであり、
前記親機は、前記子機から送信された前記通信状態を受信して記憶することを特徴とするデータ通信装置。
【請求項２】
前記子機は、ユーザが前記制御手段に対して前記通信状態の送信を指示する指示手段を有することを特徴とする請求項１記載のデータ通信装置。
【請求項３】
前記子機は、電源電圧を発生する充電池と、前記充電池の電圧値が所定の電圧値以下に低下したことを検出する検出手段とを有し、
前記制御手段は、前記検出手段が検出結果を出力したときに前記通信状態を送信することを特徴とする請求項１または２記載のデータ通信装置。
【請求項４】
前記データ通信装置は、複数の子機を有し、
前記無線通信手段は、無線で他の子機と通信を行い、
前記制御手段は、前記通信状態を他の子機に送信することを特徴とする請求項１〜３のいずれか１つに記載のデータ通信装置。
【発明の詳細な説明】
【０００１】
【発明の属する技術分野】
本発明は、公衆回線網を介してデータ通信を行うデータ通信装置に関し、さらに詳しくは公衆回線網に接続される親機と、親機と無線通信を行う子機とからなるいわゆるコードレス電話機のように、親機を介してデータ通信を行う子機を有するデータ通信装置に関する。
【０００２】
【従来の技術】
今日の通信技術の発展により、通信装置のユーザはさまざまな通信サービスを受けることができる。この通信サービスの１つとしてデータ通信がある。データ通信とは、パーソナルコンピュータ（ＰＣ）に代表される端末装置間で通信回線を介して画像およびプログラムなどのデータを送受信するもので、たとえば、ＰＣを公衆回線網にモデム経由で接続し、インターネット上のＷｅｂサーバ、ＦＴＰ（File Transfer Protocol）サーバからＨＴＭＬ（Hyper Text Markup Language）ドキュメントやアプリケーションソフトをダウンロードすることが可能である。
【０００３】
特に、ＨＴＭＬドキュメント閲覧用のブラウザを搭載したＰＨＳ（Personal Handyphone System）やＰＤＣ（Personal Digital Cellular）などの携帯電話機の普及に伴い、携帯電話機を無線通信網からインターネットに接続してホームページを閲覧することが可能となっている。
【０００４】
最近では、一般の有線電話回線に接続するコードレス電話機においてもブラウザを搭載したものがあり、コードレス電話機をインターネットに接続してホームページの閲覧や電子メールの送受信が手軽に行えるようになっている。また、このコードレス電話機は、有線電話回線に接続される親機および無線通信を介して親機と接続される子機とからなり、それぞれからホームページの閲覧および電子メールの送受信が可能となっている。
【０００５】
【発明が解決しようとする課題】
ブラウザでホームページの閲覧を行う場合、ホームページ上の特定の文字列や画像を選択すると選択部分の詳細説明など新たなホームページデータがダウンロードされる。選択部分とホームページデータとは予め関連付けられており（これをリンクと呼ぶ）、閲覧者は必要に応じて特定部分を選択しながら（リンクを辿りながら）様々な情報を得ることができる。また、選択方法としては、マウスでポインタを特定部分上に移動してクリックする、キーボードのカーソルキーで特定部分を選択し、決定キーを押して確定するなどがある。この他に、リンク先データの位置を示すＵＲＬ（Uniform Resource Locator）をブラウザに直接入力する方法もある。
【０００６】
携帯電話機およびコードレス電話機の子機のような携帯可能な端末装置には、マウスなどの入力装置は備えられていないので、ポインタを移動させて特定部分を選択することはできない。また、携帯可能な端末装置に備えられているキーは主に数字キーであるため、ＵＲＬを入力する作業は非常に煩わしいものとなる。したがって、携帯可能な端末装置においては、リンクを辿り、新たなホームページデータをダウンロードして情報を閲覧する方法として、２または４個のカーソルキーと決定キーとを用いる方法が最も多く使用されている。
【０００７】
また、コードレス電話機では、子機にてホームページを閲覧（ブラウジング）しているとき、いろいろなリンクを辿っている途中で子機のバッテリ切れが発生してしまい、親機との無線通信が切断されてしまうことがある。カーソルキーを操作しながらリンクを辿ってきたため、子機のユーザは、切断前に表示されていたホームページデータのＵＲＬは判らない。したがって、切断前の状態に復帰させるには、予め設定されている初期のホームページから再度リンクを辿っていく必要があるが、以前辿ったリンクをユーザが覚えていない場合も多く、復帰には大変面倒な操作が必要となってしまう。
【０００８】
本発明の目的は、子機によるデータ通信時に子機と親機との無線通信が切断されても、切断前の状態に容易に復帰することが可能なデータ通信装置を提供することである。
【０００９】
【課題を解決するための手段】
本発明は、公衆回線網と接続してデータ通信を行う親機と、前記親機と無線通信を行う無線通信手段を有し、前記親機を介してデータ通信を行う子機とからなるデータ通信装置であって、
前記子機は、前記親機を介して行ったデータ通信の通信状態を、前記親機を介してデータ通信を行っているときに前記無線通信手段によって予め前記親機に送信する制御手段を有し、
前記通信状態は、無線通信切断時の状態に復帰させるために必要な情報であり、親機との無線通信の切断時に子機の表示部に表示されていたデータ、親機との無線通信の切断時から所定期間分過去の間に表示部に表示した全てのデータ、親機との無線通信の切断時に表示部に表示されていたデータのＵＲＬ、親機との無線通信の切断時から所定期間分過去の間に表示部に表示した全てのデータのＵＲＬのいずれかであり、
前記親機は、前記子機から送信された前記通信状態を受信して記憶することを特徴とするデータ通信装置である。
【００１０】
本発明に従えば、子機は親機と無線通信を行う無線通信手段を有しており、公衆回線網と接続してデータ通信行う親機を介してデータ通信を行うことができる。子機の制御手段は、親機を介して行ったデータ通信の通信状態を、前記親機を介してデータ通信を行っているときに前記無線通信手段によって予め前記親機に送信しておく。ここで、通信状態とは、無線通信切断時の状態に復帰させるために必要な情報であり、親機との無線通信の切断時に子機の表示部に表示されていたデータ、親機との無線通信の切断時から所定期間分過去の間に表示部に表示した全てのデータ、親機との無線通信の切断時に表示部に表示されていたデータのＵＲＬ、親機との無線通信の切断時から所定期間分過去の間に表示部に表示した全てのデータのＵＲＬのいずれかである。
データ通信の通信状態を親機に送信しておくことで、親機が前記子機から送信された前記通信状態を受信して記憶し、データ通信時に子機と親機との無線通信が切断されても、通信再開時に親機から通信情報を受信することができる。これにより、子機からの通信再開時に面倒な操作を行うことなく切断前の状態に容易に復帰することができる。
【００１１】
また本発明は、前記子機はユーザが前記制御手段に対して前記通信状態の送信を指示する指示手段を有することを特徴とする。
【００１２】
本発明に従えば、子機には、ユーザが制御手段に対して通信状態の送信を指示する指示手段が備えられているので、ユーザが望むときに指示手段から入力して通信状態を親機に送信しておくことができる。
【００１３】
また本発明は、前記子機は電源電圧を発生する充電池と、前記充電池の電圧値が所定の電圧値以下に低下したことを検出する検出手段とを有し、前記制御手段は、前記検出手段が検出結果を出力したときに前記通信状態を送信することを特徴とする。
【００１４】
本発明に従えば、電源電圧を発生する充電池の電圧値が所定の電圧値以下に低下したとき、通信状態が親機に送信される。これにより、充電池の電圧低下によって突然通信が切断されてしまうような場合でも、通信状態を親機に送信しておくことができる。
【００１５】
また本発明は、前記データ通信装置は複数の子機を有し、前記無線通信手段は、無線で他の子機と通信を行い、前記制御手段は、前記通信状態を他の子機に送信することを特徴とする。
【００１６】
本発明に従えば、データ通信装置には複数の子機が備えられ、子機の無線通信手段は無線で他の子機と通信を行う。制御手段は、通信状態を他の子機に送信するので、通信が切断されても、速やかに他の子機で切断時の状態から通信を再開することができる。
【００１７】
【発明の実施の形態】
以下では、本発明のデータ通信装置の実施形態としてコードレス電話機について図面を用いて説明する。
【００１８】
図１は、コードレス電話機１の構成を示すブロック図である。コードレス電話機１は、親機２と子機３とを備えている。親機２は、回線インターフェイス部２１、無線部２２、表示部２３、操作部２４および制御部２５からなり、子機３は、無線部３１、表示部３２、操作部３３、制御部３４、バッテリ３５および減電検出回路３６からなる。
【００１９】
公衆電話回線網４には、Ｗｅｂサーバ５、メールサーバなどが接続しており、親機２は、回線インターフェイス部２１を介して公衆電話回線網４に接続し、これらのサーバとデータ通信を行う。
【００２０】
回線インターフェイス部２１は電話局交換機との入出力制御を行い、無線部２２は子機３との無線通信を行う。表示部２３は、親機２の操作メニュー、通信状態およびデータ通信で受信したＨＴＭＬドキュメントなどのデータを表示する。操作部２４は、通信の開始／終了の指示、ブラウザの操作などを行う機能キーおよびカーソルキーと、電話番号などを入力する数字キーとを有し、各キーを用いてユーザが入力を行う。制御部２５は、マイクロコンピュータなどで実現され、上記の各部を含めた親機２全体の制御を行う。また、親機２は通話するためのハンドセットを備えていてもよく、通話時には回線インターフェイス部２１と制御部２５とによって音声データの送受信を行う。
【００２１】
子機３は、親機２側の無線部２２と無線通信を行うことで親機２とのデータ通信を可能とし、さらに親機２を介してＷｅｂサーバ５などとのデータ通信を行う。
【００２２】
無線部３１は、親機２側の無線部２２と無線通信を行う無線通信手段である。表示部３２は、子機３の操作メニュー、通信状態および親機を介して受信したＨＴＭＬドキュメントなどのデータを表示する。操作部３３は、通信の開始／終了の指示、ブラウザの操作などを行う機能キーおよびカーソルキーと、電話番号などを入力する数字キーとを有し、各キーを用いてユーザが入力を行う。制御部３４は、マイクロコンピュータなどで実現され、上記の各部を含めた子機３全体の制御を行う制御手段である。また、図示はしていないが通話するためのマイクおよびスピーカを備えており、通話時には無線部３１および制御部３４が親機２を介して音声データの送受信を行う。
【００２３】
バッテリ３５は、子機３の各部を駆動するための電源電圧を発生する充電池である。減電検出回路３６は、バッテリ３５の発生電圧を監視して予め定める電圧値と比較し、バッテリ３５の電圧が所定の電圧値以下に低下すると制御部３４に対して検出結果を出力する検出手段である。
【００２４】
以上のようなコードレス電話機１の構成であれば、親機２および子機３の両方でデータ通信を行うことが可能で、特にインターネットに接続してホームページを閲覧する場合などは、持ち運びのできる子機３が主に使用される。
【００２５】
ホームページの閲覧を行うには、ブラウザを起動し、閲覧したいＨＴＭＬドキュメントが置かれているサーバ名、通信プロトコル、ファイル名などの情報（ＵＲＬ：Uniform Resource Locator）を入力する必要があるが、子機３の操作部３３が有するキーを用いた入力では非常に煩わしい操作となる。したがって、子機３による操作は、ホームページ上に予め表示されている文字列および画像などをカーソルキーで選択し、それらに関連付けられたＵＲＬのデータを受信する。ユーザは所謂“リンクを辿る”操作を繰り返してデータ通信を行うため、表示部３２に現在表示されているデータ、またはこれまで表示されたデータのＵＲＬを知らないままデータ通信を進めることになる。
【００２６】
ユーザがデータのＵＲＬを知らなければ、データ通信中に子機３の電源が切れるなどして親機２との無線通信が切断されると、切断時の状態に復帰することが困難になるので、子機３の制御部３４では、子機３が親機２を介して行ったデータ通信の通信状態を記憶しておき、無線部３１によってこの通信状態を親機に送信することを可能としている。親機２においては、子機３から送信された通信状態を無線部２２で受信し、受信した通信状態を制御部２５で記憶する。
【００２７】
ここで、通信状態とは、子機３と親機２の無線通信が切断された後、速やかに切断時の状態に復帰させるために必要な情報のことである。たとえば、切断時に表示部３２に表示されていたデータや、切断までの所定期間表示部３２に表示した全てのデータなどである。また、データそのものでなくとも、切断時に表示部３２に表示されていたデータのＵＲＬや、切断までの所定期間表示部３２に表示した全てのデータのＵＲＬであってもよい。
【００２８】
親機２は、子機３との無線通信が再開されると、制御部２５に記憶していた通信状態に基づいて子機３にデータを送信する。記憶していた通信状態がデータである場合は、記憶していたデータを無線部２２から送信する。記憶していた通信状態がＵＲＬである場合は、ＵＲＬだけを子機３に送信してもよいし、公衆電話回線網４に接続してＵＲＬのデータを受信し、受信したデータを無線部２２から送信するようにしてもよい。
【００２９】
このように、子機３の通信状態を予め親機２に送信しておけば、通信が再開されたときに切断時の状態に容易に復帰させることができる。したがって、復帰させるために、切断前と同じリンクを辿るなどの面倒な操作をユーザが行う必要が無くなる。
【００３０】
以下では、通信状態の送信処理について詳細に説明する。子機３から親機２への通信状態の送信処理は次の２種類がある。ユーザから送信の指示が与えられたときに親機２へ送信する場合と、バッテリ３５の電圧が所定の値にまで低下したときに自動で親機２へ送信する場合である。
【００３１】
まず、ユーザからの指示によって通信状態を送信する場合について、図２のフローチャートを用いて説明する。ステップｓ１０１では、ユーザの操作によってブラウザが起動され、ホームページ閲覧のための通信が行われる。このときの詳細な動作は次のようになる。
【００３２】
子機３が待受状態のとき、ユーザが操作部３３からブラウザの起動など通信開始操作を行うと、その旨の信号が制御部３４へ通知される。制御部３４では操作部３３が通知してきた信号を解析し、無線部３１で無線信号に変調して親機２へ送信する。親機２の無線部２２が子機３の無線部３１からの無線信号を受信すると、これを復調して制御部２５に通知する。制御部２５は、回線インターフェイス部２１から公衆電話回線網４を介してＷｅｂサーバ５との通信を開始する。
【００３３】
Ｗｅｂサーバ５から取得したデータは制御部２５に送られ、無線通信により子機３へ送信される。子機３の制御部３４は受信したデータを蓄積し、表示部３２にホームページとして表示する。なお、通信開始時に表示されるホームページのＵＲＬは、ユーザが入力してもよいし、予め登録しておいてもよい。
【００３４】
次のステップｓ１０２では、ユーザによって送信キーが押されたかどうかを子機３の制御部３４が監視して判断する。送信キーは操作部３３が有する機能キーのいずれかに割り当てられており、通信情報を送信したいタイミングでユーザが入力する指示手段である。ユーザによって送信キーが押されればステップｓ１０３に進み、送信キーが押されなければ監視を続行する。
【００３５】
ステップｓ１０３では、子機３の制御部３４に記憶している通信状態を、無線部３１から親機２に送信する。ここでの通信状態は、制御部３４に蓄積されているＷｅｂサーバ５から取得したデータである。親機２では、受信したデータを制御部２５に記憶するとともに表示部２３に表示する。
【００３６】
ステップｓ１０４では、ユーザの操作によって通信が終了される。子機３の制御部３４から無線部３１を介して親機２に通信終了を示す信号を送信し、子機３を待受状態に移行する。通信終了信号を受信した親機２は子機３との無線通信を終了する。
【００３７】
このように、ユーザによって送信キーが押されると子機３から親機２へ通信状態が送信されるので、ユーザが望むときに通信状態を送信しておくことができる。
【００３８】
なお、子機３と親機２の通信が再開されたときには、記憶していたデータが親機２から子機３に対して送信され、切断時の状態に復帰できる。
【００３９】
次に、バッテリ３５の電圧が低下したときに自動で通信状態を送信する場合について、図３のフローチャートを用いて説明する。ステップｓ２０１では、ユーザの操作によってブラウザが起動され、ホームページ閲覧のための通信が行われる。このときの詳細な動作は図２のステップｓ１０１と同様である。
【００４０】
次のステップｓ２０２では、バッテリ３５の電圧を監視している減電検出回路３６が、所定の電圧値以下に低下したかどうかを判断する。所定の電圧値には、子機３が動作可能な限界値よりやや高めの電圧値を予め設定しておく。バッテリ３５の電圧が設定された電圧値以下に低下していれば、減電検出回路３６から検出結果が出力されステップｓ２０３に進む。電圧が低下していなければ電圧の監視を続行する。
【００４１】
ステップｓ２０３では、図２のステップｓ１０３と同様に子機３の制御部３４に記憶している通信状態を、無線部３１から親機２に送信する。親機２では、受信したデータを制御部２５に記憶するとともに表示部２３に表示する。
【００４２】
ステップｓ２０４では、ユーザの操作または、制御部３４の判断によって通信が終了される。子機３の制御部３４から無線部３１を介して親機２に通信終了を示す信号を送信する。通信終了信号を受信した親機２は子機３との無線通信を終了する。通信終了信号が送信されない場合は、親機２の判断で無線通信を終了する。
【００４３】
このように、バッテリ３５の電圧が所定の電圧値以下に低下すると子機３から親機２へ通信状態が送信されるので、バッテリ３５の電圧低下によって突然通信が切断されてしまうような場合でも、通信状態を親機２に送信しておくことができる。
【００４４】
なお、子機３と親機２の通信が再開されたときには、記憶していたデータが親機２から子機３に対して送信され、切断時の状態に復帰できる。
【００４５】
以上の説明では、図１に示すように親機１台に対して子機１台が備えられている場合について述べたが、子機は１台に限らず複数台備えられていても良い。このとき、通信状態の送信先を親機ではなく他の子機にしてもよい。これは、子機の無線部同士での無線通信を可能とし、送信先を親機と子機、親機のみ、子機のみなど選択可能とすることで実現できる。送信先の選択は、ユーザが送信時に選択してもよいし、予め設定しておいてもよい。他の子機に通信状態を送信することで、通信が切断されても、速やかに他の子機で切断時の状態から通信を再開することができる。
【００４６】
また、本実施形態ではコードレス電話機について説明したが、本発明はこれに限らず、公衆回線網と接続してデータ通信行う親機と、無線通信で親機を介してデータ通信を行う子機とを備えるデータ通信装置に適用可能である。
【００４７】
【発明の効果】
以上のように本発明によれば、データ通信の通信状態を親機に送信しておくことで、通信再開時に親機から通信情報を受信することができるので、通信再開時に面倒な操作を行うことなく切断前の状態に容易に復帰することができる。
【００４８】
また本発明によれば、ユーザが望むときに、子機に備えられた指示手段から入力して通信状態を親機に送信しておくことができる。
【００４９】
また本発明によれば、充電池の電圧低下によって突然通信が切断されてしまうような場合でも、通信状態を親機に送信しておくことができる。
【００５０】
また本発明によれば、複数の子機が備えられている場合に、通信状態を他の子機に送信するので、通信が切断されても、速やかに他の子機で切断時の状態から通信を再開することができる。
【図面の簡単な説明】
【図１】コードレス電話機１の構成を示すブロック図である。
【図２】ユーザからの指示によって通信状態を送信する処理のフローチャートである。
【図３】バッテリ３５の電圧が低下したときに自動で通信状態を送信する処理のフローチャートである。
【符号の説明】
１  コードレス電話機
２  親機
３  子機
４  公衆電話回線網
５  Ｗｅｂサーバ
２１  回線インターフェイス部
２２，３１  無線部
２３，３２  表示部
２４，３３  操作部
２５，３４  制御部
３５  バッテリ
３６  減電検出回路
【図１】
0003947407.tif 000002
【図２】
0003947407.tif 000003
【図３】
0003947407.tif 000004